(57)【特許請求の範囲】
【請求項１】
複数の入出力ポートを備えた光素子についての損失等化方法であって、前記光素子が経路毎に有する非線形の損失分布を、各入力ポート及び各出力ポート毎に補正量を調整して前記損失分布にもとづく損失量を等化することを特徴とする損失等化方法。
【請求項２】
前記入力ポートと前記出力ポートの接続の組み合わせ経路毎に透過光の損失分布を測定し、前記入力ポートと前記出力ポートの接続の組み合わせによらず透過光が均一に出力されるよう、前記損失分布による損失量にもとづき、前記各入力ポート及び前期各出力ポートでの補正量を算出することを特徴とする請求項１記載の損失等化方法。
【請求項３】
ｎ個の入力ポートからｍ個（ｎ、ｍは１以上の整数）の出力ポートに至るｎ×ｍ個の経路の損失を測定する損失測定工程と、前記損失測定工程によって測定したｎ×ｍ個の損失値に基づいて、前記入力ポートと前記出力ポートの接続の組み合わせによらず透過光が均一に出力されるように前記ｎ個の入力ポート及び前記ｍ個の出力ポートにおける補正量を算出する等化量計算工程と、前記等化量計算工程によって算出された補正量によって前記入力ポート及び出力ポート毎に信号光の損失を補正する損失等化工程とを含むことを特徴とする損失等化方法。
【請求項４】
ｎ個の入力ポートのうちの１つの入力ポートからｍ個（ｎ、ｍは１以上の整数）の出力ポートに至る経路の損失と、これと対称なｍ個の出力ポートのうちの１つの出力ポートからｎ個の入力ポートに至る重複方向を除くｍ＋ｎ−１個の経路の損失を測定する損失測定工程と、前記ｎ＋ｍ−１個の損失測定工程によって測定された各損失値に基づいて、前記入力ポートと前記出力ポートの接続の組み合わせによらず透過光が均一に出力されるように前記ｎ個の入力ポート及び前記ｍ個の出力ポートにおける補正量を算出する等化量計算工程と、前記等化量計算工程によって算出された補正量によって前記入力ポート及び出力ポート毎に信号光の損失を補正する損失等化工程とを含むことを特徴とする損失等化方法。
【請求項５】
前記損失等化工程は、光増幅、光減衰、光変調のいずれか、またはその組み合わせによって行うことを特徴とする請求項１乃至４記載の損失等化方法。
【請求項６】
複数の入力ポート及び出力ポートを備えた光素子における損失等化装置であって、前記光素子は、前記入力ポートと出力ポートの接続の組み合わせ経路毎に非線形の損失分布特性を有し、前記非線形の損失分布特性にもとづく損失量を、前記入力ポート及び出力ポートのそれぞれにおいて等化する補正値を有する損失等化手段を含むことを特徴とする損失等化装置。
【請求項７】
複数の入力ポート及び出力ポートを備えた光素子における損失等化装置であって、前記光素子は、前記入力ポートと出力ポートの接続の組み合わせ経路毎に非線形の損失分布特性を有し、前記損失分布による損失量にもとづき、前記入力ポートと前記出力ポートの接続の組み合わせによらず透過光が均一に出力されるよう算出した補正量を、前記入力ポート及び出力ポートのそれぞれにおいて有する損失等化手段を含むことを特徴とする損失等化装置。

【請求項８】
前記損失等化手段は、光減衰器、光変調器、光増幅器の１種または、そのいずれかを組み合わせて適用されることを特徴とする請求項６乃至７記載の損失等化装置。
【請求項９】
前記損失等化手段は前記損失等化装置の外部に接続する光減衰器の損失量、あるいは光変調器の変調量、あるいは光増幅器の増幅率の設定を行うことを特徴とする請求項８記載の損失等化装置。
【請求項１０】
前記損失等化手段は、電気的に外部から調整可能であることを特徴とする請求項６乃至９記載の損失等化装置。
【請求項１１】
前記多入力多出力光素子は、アレイ導波型回折格子（ＡＷＧ）であることを特徴とする請求項６乃至１０記載の損失等化装置。
【請求項１２】
前記多入力多出力光素子は、光マトリクススイッチであることを特徴とする請求項６乃至１０記載の損失等化装置。
【請求項１３】
前記多入力多出力光素子は、ＩｎＰ基板に作成した半導体導波路、または、有機物の基板に作成した光導波路に依るＡＷＧであることを特徴とする請求項１１記載の損失等化装置。
【発明の詳細な説明】
【０００１】
【発明の属する技術分野】
本発明は、光通信用光素子の、特にＡＷＧあるいは光マトリクススイッチなどに代表される多入力多出力の光素子の入出力ポート間の透過損失の分布のばらつきの補償を行う損失等化方法と損失等化装置に関する。
【０００２】
【従来の技術】
現在、高性能、大容量の通信システム構築の為、スイッチングやインターコネクションを光技術を用いて実現する手法が導入されている。上記光スイッチングや光インターコネクションを実現し、大容量の波長分割多重ネットワークを支える光機能デバイスとして、マトリクス型光スイッチや、入力多出力型のアレイ導波路型回折格子（ＡＷＧ）フィルタ等の多入力／多出力ポートを備える光素子が用いられている。また、このような大容量の光通信システムの構成として、例えば、波長多重光に対してアレイ導波路回折格子（ＡＷＧ）が持つ、バレルシフタ的な特性を利用したインターコネクション構成が、特開平１０−３０８７４８号公報に記載されている。
【０００３】
ところで、ＡＷＧは、光路差を有する複数の光導波路を使い光の干渉作用によって波長の多重・分離を行うが、ＡＷＧの構造と光の導波特性に起因し、入出力ポート間接続の組合せに依存し損失の分布特性を有する。図８は、ＡＷＧの入出力ポート間接続の組み合わせに依存した損失の分布特性図である。
【０００４】
次に、他の多入力／多出力ポートを備える光素子の１例として、光マトリクス・スイッチについて説明する。光マトリクス・スイッチも、ＡＷＧと同様にポート間接続の透過損失は分布を有する。例えば、図１１に示す構成の光マトリクス・スイッチでは、接続された経路に依り光路差による損失分布があり、最短経路４２では小さく、最長経路４３では大きな値となる。図１１（ａ）は片方向から信号光群１０が入射し、信号光群１１として出力される構成を示しており、図１１（ｂ）は信号光群１０と信号光群１０ａが２方向から入力し、おのおの出力信号光として信号光群１１、１１ａとして出力される構成を示している。
【０００５】
また、より具体的な一例として、ＸＶＩＩ  ＷＯＲＬＤ  ＴＥＬＥＣＯＭＭＵＮＩＣＡＴＩＯＮＳ  ＣＯＮＧＲＥＳＳ（ＷＴＣ／ＩＳＳ２０００）に於いて、Ｊ．Ｅ．  Ｆｏｕｑｕｅｔらより発表された、”ＡＮ  ＡＬＬ−ＯＰＴＩＣＡＬＣＲＯＳＳ−ＣＯＮＮＥＣＴ  ＳＷＩＴＣＨ  ＢＡＳＥＤ  ＯＮ  ＴＯＴＡＬＩＮＴＥＲＮＡＬ  ＲＥＦＬＥＣＴＩＯＮ”に説明される、導波路型光スイッチがある。この光スイッチは、図１１と同様の構成であり、スイッチの損失は、導波路の導波損失と通過クロスポイントの数に対して、ほぼ比例した値となることが示されている。
【０００６】
このため、選択出力光の光強度を一定に保つには、ＡＷＧ等の多入力／多出力ポートを有する光素子の損失分布の等化制御を行うことが必要であり、光通信システムにおいて、従来、各種の光信号の損失等化方式が採られていた。
【０００７】
以下、図を用いて、従来の技術を説明する。図９は従来の技術を説明する為の説明図である。図９において、送信ノード１０３で波長多重され送信された信号光は、ＡＷＧ１０１の入力ポートに入力後、設定された出力ポートに出力され、受信ノード１０４に送信される。このＡＷＧ１０１を通過時、入力信号光１１０は、ＡＷＧ１０１の入出力ポート間接続の組み合わせに依存した損失を受ける。
よって、受信ノード１０４の光受信器（ＰＤ）１４１に於いて、光信号を安定に受信し、信頼性のある通信を行う為、光受信器１４１に入射する光信号の強度を、全ての波長について一定の値を取るように制御する必要がある。
このような損失の等化制御を実現するには、従来技術においては、受信ノード１０４に於いて、各波長毎に光強度を観測し、送信ノード１０３へ帰還制御を行う方法がとられていた。具体的には、図９に示す光受信器１４１の入射光を、光分岐を介して光強度モニタ１４３で、入射光のモニタを行い、その強度が一定になるように、対応する送信レーザ１３０の出力制御を行っていた。
【０００８】
また、特定の一出力についての利得波長依存性を補償する技術として特開平９−２８９３４９号記載の発明「光イコライザおよびこれを用いた光増幅装置と波長多重光伝送装置」等がある。上記公報には、光ファイバアンプ等の利得波長依存性を補償し、低損失偏光依存性の光イコライザを実現するため、互いに異なるフリースペクトラム領域（ＦＳＲ）を有する複数のエタロンフィルタ板を縦続接続する構成が開示されている。しかし、特開平９−２８９３４９号記載の発明においても、多入力／多出力ポートを有する素子の損失分布の等化については、何も開示していない。
【０００９】
【発明が解決しようとする課題】
上記述べた従来技術における損失等化方式は、以下のような課題を有している。
【００１０】
第一の課題は、波長強度モニタ１４３及び帰還信号１４０を用いた系が、必要部品の増加を招き、装置費用の低減が不可能な事である。例えば、波長強度モニタ１４３と、波長強度モニタ１４３に信号光を誘導するための光分岐素子１４２が必要となる。さらに、波長強度モニタ１４３から送信ノード１０３へ波長強度を制御する為の帰還信号１４０を、フィードバックする構成が必要である。特に、ＡＷＧ１０１と送信ノード１０３の距離が近接していない場合には、帰還信号１４０の伝達に要する構成を設ける費用が大きくなる恐れがある。
【００１１】
第二の課題は、複数の光素子を用いてシステムを拡張し、入力信号光を分岐する構成に於いて、ひとつの光素子に対して行う光源の強度変化が、他の系に対して影響を与えてしまい、損失特性に個体差を持つＡＷＧ等の光素子に対して対応出来ないことである。
【００１２】
たとえば、図９のシステムの拡張を行う場合を考える。図１０は、ＡＷＧをメッシュ状に接続し拡張したシステム構成であり、中央のスイッチに於いて、マルチキャストあるいはブロードキャスト等の機能提供が可能である。このような構成を取る場合には、送信レーザ１３０群と光受信器１４１群とが、１対１に対応せず、ＡＷＧの損失に個体差がある場合、従来の帰還制御方法を用いる事は出来ない。
【００１３】
第三の課題は、損失の等化が収束せず、調整に要する工程が長くなる事である。
特に、送信ノード１０３に光増幅器１３２が含まれる構成を考えると、波長多重光に対する光増幅特性の非線形性から、光増幅器１３２への入力光の、一波長の強度変化が、増幅器出力光の、他全ての波長の強度に影響する。このため、ある特定の出力ポート１１０（ｉ）へ出力される波長の強度を、対応する送信レーザ（ＬＤ）に於いて調整すると、同時に他出力ポート１１０（ｊ≠ｉ）へ出力される波長の強度へ影響を与える事になり、再調整の繰り返しを必要とする。
【００１４】
以上３点の課題は全て、ＡＷＧの損失の分布をＡＷＧ周辺で局所的に等化を行わず、光源など外部の系を用いて補償を行っている事が原因である。しかし、ＡＷＧは現在、波長ＭＵＸ、ＤＥＭＵＸとしての使用方法が主流であり、バレルシフタ（または、波長ルータ）としての使用は一般的では無いため、実用上重要となる、安定化制御の手段に関する検討は、十分になされていない。
【００１５】
また、光マトリクススイッチについても、任意の入力ポートの信号光が、スイッチの切替により、任意の出力ポートに接続される事から、その損失分布についての等化制御についての課題は、ＡＷＧについての対処方法と同様と見なす事が可能である。
【００１６】
上記のような課題に対し、本発明は、波長を介したメッシュ接続状態に構成した多入力／多出力光素子の入出力経路間の接続による透過損失の分布を、送信レーザ（ＬＤ）に帰還せず、多入力多出力光素子の近傍で局所的に等化を行い、損失の等化に要する調整行程の短縮を目的とする。
【００１７】
【課題を解決するための手段】
本発明の損失等化方法及び損失等化装置は、複数の入力ポートと複数の出力ポートとを有し、おのおの入出力ポート毎に光減衰手段を設け、前記光減衰手段による減衰量を調節し、透過波長の損失が全て等しくなるように調整することを特徴とする。
【００１８】
本発明の損失等化方法は、複数の入出力ポートを備えた光素子についての損失等化方法であって、前記入力ポートから対応する出力ポートへ出力される信号光の透過損失を測定する損失測定工程と、前記損失測定工程によって測定した測定値について、損失量を等化するための補正値を算出する等化量算出工程と、前記等化量算出工程によって求めた補正値によって、各入出力ポート毎に信号光の損失を補正する損失等化工程とを含む。
【００１９】
また、前記損失測定工程は、各入力ポートから対応する出力ポートに出力される全ての信号光毎に測定することを特徴とする。
【００２０】
さらに、前記損失測定工程は、ある特定の入力ポートから対応する全出力ポートに出力される信号光について透過損失を測定することを特徴とする。
また、特に、前記等化量算出工程は、前記入力ポートと出力ポート間の接続組み合わせの相関に基づいて補正値を算出することを特徴とする。
【００２１】
本発明の損失等化装置は、複数の入力ポートと複数の出力ポートとを有し、おのおの入出力ポート毎に対応する光減衰手段を設け、前記光減衰手段による減衰量を調節し、透過波長の損失を等化することを特徴とする。
【００２２】
また、前記損失等化装置は、前記入力ポートから対応する出力ポートへの損失を測定する損失測定手段とを備え、前記損失測定手段によって測定した各損失値について、補正量を算出する等化量算出手段とを含むように構成することができる。
【００２３】
さらに、本発明は、ｎ個の入力ポートと、ｍ個の出力ポートとを有するｎ×ｍ（ｎ、ｍは１以上の整数）多入力多出力光素子と、ｎ個の入力ポートから対応するｍ個の出力ポートへの損失を測定する損失測定手段とを備え、前記損失測定手段によって測定したｎ×ｍ個の損失値について、入力信号光の減衰値を算出する減衰量計算手段とを含む。
【００２４】
また、本発明は、ｎ個の入力ポートと、ｍ個の出力ポートとを有するｎ×ｍ（ｎ、ｍは１以上の整数）多入力多出力光素子と、ある入力ポートから対応するｍ個の出力ポートへの損失と、これと対称な方向を除く逆方向のｎ−１個の損失のｍ＋ｎ−１個の損失測定手段とを備え、前記ｎ＋ｍ−１個の損失測定手段によって測定した各損失値について、入力信号光の減衰値を算出する減衰量計算手段とを含む。
さらに、前記損失等化装置はさらに、前記減衰手量計算手段によって算出された減衰量によって入出力ポート毎の減衰量を調節する光減衰手段を含む。
【００２５】
このように、本発明によれば、波長を介したメッシュ接続状態に構成したＡＷＧあるいは光マトリクススイッチ等の多入力多出力光素子の入出力経路間の接続による透過損失の分布を、送信ノードに帰還せず多入力多出力光素子の近傍で局所的に等化を行うため、損失の等化に要する調整行程の短縮が行え、さらに入力光を複数のＡＷＧへ分岐した接続での等化制御も可能となる。
【００２６】
【発明の実施の形態】
以下、本発明の実施の形態を図面を用いて説明する。なお、本発明は、特に複数の光素子についての損失等化方法および損失等化装置に関するが、ここでいう損失等化装置とは、本発明の機能を含む光素子、回路、またはそれによって構成される装置構成を含んで実施することが可能である。図１は、本発明の第一の実施の形態を示す構成図である。
【００２７】
図１の構成において、第一の実施の形態では、各々ｎ本の入出力ポート１０及び１１を持つＡＷＧ素子１と、入力ポートと出力ポートの各々に入力側光減衰手段２０と、出力側光減衰手段２１とを備えている。また、図１に於いて、ＡＷＧ１として、石英光導波路による１６ポートのＡＷＧを用いている。また、光減衰手段２０，２１として、干渉膜フィルタを用いた可変光減衰器を、１６台づつ合計３２台用いる場合について説明する。
【００２８】
また、図７は、入出力各々１６ポートを有するＡＷＧの波長の接続例を示す説明図である。また、図１２は、１６ポートで使用する波長λ１〜λ１６の例としてＩＴＵ−Ｔ標準の１００ＧＨｚ間隔の波長の例であり、以下の説明で記述する実測値、シュミレーション値は、この波長帯のλ１〜λ１６値を用いて求めている。
【００２９】
図７に示すようなＡＷＧ素子において、全入出力間ポート間の透過損失の測定例を説明する。図７の構成を有するＡＷＧにおいて入力ポートｉ１〜ｉ１６に入力した各信号光について、各々出力ポートｏ１〜ｏ１６に出力可能である。図１３は、１６ポートのＡＷＧの入出力ポートと波長の関係の入出力関係の一例を示しており、たとえば、入力ポートｉ１に入力された波長λ１の信号光は、出力ポートｏ１に出力され、入力ポートｉ１に入力されたλ１６の信号光は出力ポートｏ２に出力されることを示している。また、測定すべき箇所は、各波長毎に１６ポート×１６ポートの２５６ポイントある。また、各ポートを通過する信号光の経路長による損失は、図１４に示される。図１４に示すように、損失の最大の経路（光路）長と最小の経路長における損失の差は、４．５３ｄＢである。
【００３０】
本発明の第一の実施の形態では、このような多入力多出力光素子を通過する経路長に依存する損失のばらつきに対し、図１に示すように可変光減衰器２０，２１の減衰量を調節し、透過波長の損失が、各入出力ポートについて全て等しくなるように調整する。具体的には、経路長の短い中央のポートに接続する可変光減衰器の減衰量を大きくし、周辺に行くに従い減衰量を小さくする。各損失量の全体のバランスを、最小自乗法などの計算手法を用いて最適値を求める。図の構成において２５６経路全ての損失を測定し、３２箇所の調節値の最適値を求めることができるが、最適値検索の計算方法は、システムで要求される精度により、３２元の連立方程式を解析的に解く方法、差の１乗の総和を最小とする近似、他、計算機を使って数値的に最適値を求める方法も採用することができる。すなわち、本発明は、複数の入出力ポートを有する光素子について、入力ポートと出力ポートの接続の組み合わせによる光信号の相関性に着目したものであり、上記計算手法に限定されず光素子の接続構成、特性に応じて、最適な計算手法を適用する。
【００３１】
そして、このようにして求めた最適値により入出力光減衰手段２０、２１の減衰量を適宜設定する事で、入出力ポート間接続の組み合わせによる経路長に依存したＡＷＧ素子１の損失分布を等化する事が可能となる。
【００３２】
このように、ＡＷＧの入出力ポートの双方に、光強度の減衰手段を付け、ＡＷＧ周辺で局所的に損失の等化を行う為、帰還制御を廃す事が可能となり、さらに図１０に示すような、入力光を複数のＡＷＧへ分岐した接続での等化制御も可能となる。
【００３３】
また、光減衰手段２０，２１とＡＷＧ１とを一体化する事で、事前に製造段階で調整し、均一な損失特性を持つＡＷＧを販売購入する事が可能となり、装置製造組立て時の波長毎の複雑な光強度の調整を廃する事ができる。
【００３４】
以上、本発明の第一の実施の形態について説明したが、上記実施の形態に於いて、ＡＷＧ１としては、ＩｎＰ基板に作成した半導体導波路、あるいは、有機物の基板に作成した光導波路に依るＡＷＧが使用可能である。
【００３５】
また、光減衰手段２０，２１として、ＡＷＧを作成する導波路基板上に一括作成した可変あるいは固定導波路型光減衰器、ＡＷＧ外に接続した固定光減衰器、干渉膜フィルタなどを使い、ＡＷＧ素子とファイバを接着固定する部分に作り込んだ可変あるいは固定光減衰器、熱あるいは紫外線照射などの手段で損失量を可変可能なファイバ型減衰器が使用可能である。また、光減衰手段２０，２１としては、光減衰器と同様に、電界光学効果を用いた半導体変調器、半導体光増幅器、Ｅｒなどに代表される希土類を用いたファイバ増幅器が使用可能である。
【００３６】
これらの変調器の減衰量及び増幅器の利得は、電気的に外部から調整可能なので、可変減衰器と同様に、増幅率を変化させる事で、ＡＷＧ１の損失の分布の均一化が可能である。さらに、ＡＷＧ素子と、変調器あるいは増幅器の接続は、ＡＷＧの外部にファイバを介して接続するか、あるいは、一部または全体をＡＷＧを形成する基板上に集積、または、ハイブリッド実装技術を用いた集積構造も可能である。また、入出力それぞれの光減衰手段２０，２１に、上記の光減衰器、変調器、光増幅器とを組み合わせてあてはめる構成としてもよい。このように、おのおの入出力ポート毎に可変減衰手段を設け、可変光減衰器の減衰量を調節し、透過波長の損失が全て等しくなるように調整し、各損失量の全体のバランスを、最小自乗法などの計算手法を用いて、最適値を求める。その他、２５６経路全ての損失を測定して、３２箇所の調節値の最適値を求める為、３２元の連立方程式を解析的に解くか、または計算機を使って数値的に最適値を求める方法も採用することができる。
【００３７】
また、上記実施の形態において、光減衰器を付属させずに、製造元からあらかじめ減衰量の値を提供し、使用者側に於いて、ＡＷＧ外部に接続する光減衰器の損失量、あるいは増幅器の増幅率を設定する手段も採用することが出来る。
【００３８】
以上、本発明の第１の実施の形態について説明したが、この応用として、多入力多出力光素子として、ＡＷＧの代わりに、マトリクス型光スイッチを用いた構成について説明する。図２は、マトリクス型光スイッチを用いた本発明の損失等化装置の構成例である。図２において、入線から入力された各信号光は、通過クロスポイント７を通過し、設定された反射クロスポイント８にて反射され、出線に出力される
このマトリクス型光スイッチを用いた構成においても、おのおの入出力ポート毎に可変減衰手段を設け、可変光減衰器の減衰量を調節し、透過波長の損失が全て等しくなるように調整し、各損失量の全体のバランスを、最小自乗法などの計算手法を用いて、最適値を求めることが可能である。
【００３９】
そして、入出力光減衰手段２０、２１の減衰量を適宜設定するこのような光スイッチとしてはＬＮ、石英、光半導体あるいは有機材料を用い、熱光学効果、電気光学効果あるいは屈折率整合を利用した内部接続回路が、図１１と等価な導波路型光スイッチが適用可能であり、たとえば、Ｓｉ−ＭＥＭＳ（Ｍｉｃｒｏ−Ｅｌｅｃｔｒｏｎｉｃ−Ｍｅｃｈａｎｉｃａｌ  Ｓｙｓｔｅｍ）によるもの、あるいは、前述のように、液体を屈折率調整材として用いた、内部接続回路が図１１と等価な回路であって、石英あるいは有機材料を使った導波路型光スイッチが適用可能である。
【００４０】
次に、本発明の第２の実施形態について説明する。前記第１の実施形態では、ＡＷＧの全ての波長−ポートの接続の損失を測定する事を述べたが、１６ポートＡＷＧを例に取ると、その測定数は、２５６接続に上り、多大な測定時間と手間を必要とする。
【００４１】
そこで、前記第１の実施形態に於いて説明した損失の分布を均一化するＡＷＧの構成を基に、図３を用いて、このようなポート毎の測定時間、調整に関する課題を解決する為の第二の実施の形態について説明する。
【００４２】
本実施の形態では、損失特性測定の簡易化を行うため、入出力の各々の任意の１ポートから相対する全ポートの損失のみを測定する事で、光減衰手段の減衰量の値を決定する手法を採用する。
【００４３】
すなわち、第一の実施の形態で説明した、入力側、出力側の二群の光可変減衰手段２０，２１を一体化したＡＷＧの製造段階の調整工数に注目して説明すると、例えば、入出力ポート数が各々１６ポートあるＡＷＧの場合、全てのメッシュ接続数は２５６接続となるため、透過損失は各々２５６通りの値を持つ事になり、厳密には、この２５６通りの接続の損失を測定した後に、二群の光減衰手段の減衰量の最適値を決定する必要がある。
【００４４】
これに対して、ＡＷＧの入出力ポートの素子上の配置と損失量に注目すると、その損失は一般に、並列に並ぶポートの中心が小さく、両端に行く程単調に大きな値となるという特性を有することがわかる。
【００４５】
そこで、入出力の各々の任意の１ポートから相対する全ポートの損失のみを測定することとすると、１６ポートのＡＷＧの場合であれば、３１通りの測定となる。
【００４６】
この３１通りの損失の値と、計算機を用いた最小自乗法を用いる事で、ＡＷＧのメッシュとなる２５６通り損失特性を測定することなく、二群の光減衰手段の減衰量の値を算出する事である。以下、図面を用いて第２の実施の形態の手順を説明する。図３は、第２の実施の形態の簡略測定方法を示す説明図である。
【００４７】
図３（ａ）では、入力側より任意の１ポートから、出力側全ポートへ対する透過損失を測定し、図３（ｂ）では、出力側より任意の１ポートから、入力側全ポートへ対する透過損失を測定する事を示している。ここで、ＡＷＧの透過特性には方向性がない為、図３（ｂ）の測定は問題なく行うことが可能である。
【００４８】
この図３で示した測定結果３１カ所を、図８の入出力ポート間接続の組合わせの経路に依存した損失分布特性図上に再描すると、図４の太線で示した測定点に相当する。図８に示すように損失分布特性は、接続ポートの組み合わせに対して明らかな相関を持ち、図４の計測値について任意のポートから、対する全ポートに対する損失値の変化は、オフセット値が変わるだけで、損失値の相対的な差は、ほぼ一定とみなすことが可能である。上記図４にプロットした代表する３１ヶ所の測定点について損失を等化するように調整すれば全ポートについて一定精度の損失等化を実施することとなる。
【００４９】
図５（ａ）〜（ｃ）に、この３１点の数値のみを用いて、全２５６接続の損失の補正を行う課程を説明する。図５（ａ）は補正前の損失の測定値である。
【００５０】
次に、図３（ｂ）の測定点に相当する測定値を用いて、出力ポート番号７番に接続する経路の損失が、全て等しくなるように、入力側の減衰器２０の減衰量を調整する。その減衰量を図５（ａ）に反映させた結果が図５（ｂ）である。
【００５１】
次に、図３（ａ）の測定値に相当する、あるポート、たとえば入力ポート番号７番に接続する信号光の損失が、全て等しくなるように、出力側の減衰器２１の減衰量を調整する。その減衰量を図５（ｂ）に反映させた結果が図５（ｃ）である。このような行程で、図５（ｃ）に示すように、一部の損失の測定値を用いる事で、全接続の損失の平坦化が可能となる。
【００５２】
また、損失測定には、誤差や製造ばらつきに起因する不確実要素があるが、図３（ａまたはｂ）の測定に相当する値に関して、多数検体の平均値を用いるか、あるいは、理論的に求められる関数を基に、最小自乗法を用いたフィッティングで、最適値を求める事が可能である。理論的に求められる関数とは、ＡＷＧのアレイ導波路及びスラブ導波路部分の光伝搬特性を理論的に解析する事で求める事が出来る関数であり、上記フィッティングを用いて、入出力双方の減衰器の値を最適化した結果を図６に示す。
【００５３】
図６は、本発明の損失等化の概念を用いて均一化した経路の損失の実測値例であり、この結果は、減衰器の代替に光増幅器の利得を使用して求めたものである。
【００５４】
図６によると、全ポートのばらつき幅が当初の４．５３ｄＢから、わずか０．５ｄＢ以下に均一化されていることがわかる。この時の光アンプの利得を、図１５に示す。
このようにポート毎の設定値を用いて良好な特性が得られた。
【００５５】
また、第２の実施形態においても、前述の第１の実施形態と同様に、ＡＷＧの代替として、図２の構成を取る光スイッチに対して、同様の手法を適用することが可能である。すなわち、光マトリクススイッチに於いても、ＡＷＧと同様に、入出力の各々の任意の１ポートから相対する全ポートの損失のみを測定する事で、光減衰手段の減衰量の値を決定する事が可能である。また、発明を構成手段は第１の実施の形態と同様のデバイスの置き換えが可能である。
【００５６】
【発明の効果】
以上説明したように、本発明によれば、このように、波長を介したメッシュ接続状態に構成したＡＷＧあるいは光マトリクススイッチ等の多入力／多出力ポートを有する光素子の入出力経路間の接続による透過損失の分布を、ＬＤに帰還せずＡＷＧ等の近傍で局所的に等化を行う事と、損失の等化に要する調整行程の短縮を行い、さらに図１０に示すような、入力光を複数のＡＷＧへ分岐した接続での等化制御も可能とする。
【００５７】
また、光減衰手段とＡＷＧ等とを一体化する事で、事前に製造段階で調整し、均一な損失特性を持つＡＷＧを販売購入する事が可能となり、装置製造時の波長毎の複雑な光強度の調整を廃する事ができる。
【００５８】
さらに、本発明では、損失特性測定の簡易化を行うため、入出力の各々の任意の１ポートから相対する全ポートの損失のみを測定する事で、光減衰手段の減衰量の値を決定する手法を採用する為、簡易な構成で精度良い損失等化装置の提供が可能である。
【００５９】
本発明の第一の効果は、透過損失に分布のあるＡＷＧあるいは光スイッチに対して、複雑で収束の遅い帰還制御を用いずに、その光デバイス周辺で局所的な補正を行い、容易にかつ安定な特性を得る事が可能となる。
【００６０】
本発明の第二の効果は、多ポートの入出力間に、メッシュ接続を持つ光素子の損失ばらつきの均一化の為に、従来行っていた全入出力間の損失を測定を、大幅に削減する事を可能とする。一例として、１６ポートのＡＷＧの場合、２５６経路に対して、３１経路の測定で十分な均一化が可能な為、測定量が８分の１となった。
【図面の簡単な説明】
【図１】本発明の第１の実施の形態の損失等化装置の構成図である。
【図２】マトリクススイッチを用いた本発明の損失等化装置の構成図である。
【図３】損失の均一化の為の簡略化された測定を示す概略図である。
【図４】簡略化された測定を示す、実測値を用いたイメージである。
【図５】簡略化された均一化の手順を示す説明図である。
【図６】本発明を用いて均一化した経路の損失の実測値例である。
【図７】ＡＷＧの接続を表す説明図である。
【図８】ＡＷＧの入出力ポート間接続の組み合わせの経路に依存した損失の分布特性図である。
【図９】従来の技術を説明する為のブロック図である。
【図１０】従来の技術の光通信システムを拡張したブロック図である。
【図１１】光マトリクススイッチの構成図である。
【図１２】ＩＴＵ標準の１００ＧＨｚ間隔の波長の例を示す図表である。
【図１３】１６ポートのＡＷＧの入出力ポートと波長の関係を示す図表である。
【図１４】ＡＷＧの全接続経路の損失の実測例を示す図表である。
【図１５】本発明を用いて最適化したＡＷＧ入出力の可変利得値を示す図表である。
【符号の説明】
１、１０１  ＡＷＧ
６  マトリクス光スイッチ
７  通過クロスポイント
８  反射クロスポイント
１０  入力波長多重信号光
１１  出力波長多重信号光
２０  入力側光減衰器
２１  出力側光減衰器
２０、２１  可変減衰器
４０  入力ポートから全出力ポートへの損失の測定値
４１  出力ポートから全入力ポートへの損失の測定値
１０３  送信ノード
１０４  受信ノード
１３１  光源レーザ
１３２  光増幅器
１４１  光受信器
１４３  波長強度モニタ
１４２  光分岐
１４０  帰還信号
【図１】
0003587172.tif 000002
【図２】
0003587172.tif 000003
【図３】
0003587172.tif 000004
【図４】
0003587172.tif 000005
【図５】
0003587172.tif 000006
【図６】
0003587172.tif 000007
【図７】
0003587172.tif 000008
【図８】
0003587172.tif 000009
【図９】
0003587172.tif 000010
【図１０】
0003587172.tif 000011
【図１１】
0003587172.tif 000012
【図１２】
0003587172.tif 000013
【図１３】
0003587172.tif 000014
【図１４】
0003587172.tif 000015
【図１５】
0003587172.tif 000016